(57)【要約】物品用の容器は、後部パネル（１２）と、後部パネルの側面に折りたたみ可能なように接続されている一組の内向きに伸びた前面パネル（３０）と、後部パネルの底部に折りたたみ可能に接続されている上方に伸びた前面パネル（３４）と、後部パネルの上部に折りたたみ可能に接続されたカバーパネル（３８）とを含んでいる。カバーパネルは、閉じた状態で前面パネルを覆うように伸びているとともに、この閉じた状態で取り外し可能に接続されるように設計されている。前面パネルの少なくとも１つは、取り外し可能にフィルムケースを挿入するための開口部（３１）を備える。第１の仕切りは、前面折り返し部、後部パネル、前面パネルによって境界が定められ、フィルムケース、写真等が挿入されるようになっている。第２の仕切りは、前面パネルと前面折返し部との間となり、陽画や陰画等が挿入されるようになっている。前面パネルは、取り外し可能に前面折返し部に接続されている。
2004522655.tif 000002
【特許請求の範囲】
【請求項１】
フィルムケース、写真、陰画、陽画等の物品の容器であって、
後部パネルと、一組の前面折り返し部と、前面パネルと、カバーパネルとを備え、
上記前面折り返し部は、後部パネルの側部に折りたたみ可能に接続され、後部パネルに対して所定間隔を隔てて、後部パネルを覆うように、横方向に内向きに伸びているとともに、上記前面折返し部のうちの１つは、取り外し可能にフィルムケースを挿入することができるように成形された開口部を有し、
上記前面パネルは、上記後部パネルの底部に折りたたみ可能に接続されるとともに、上記前面折返し部を覆うように上方に伸びており、
上記カバーパネルは、上記後部パネルの上部に折りたたみ可能に接続されるとともに、閉じた状態で上記前面パネルを覆うように下方に伸びており、
上記後部パネルと前面折返し部と前面パネルとは、カートリッジや写真等のための第１の仕切りとなり、
上記前面折返し部と前面パネルとは、該前面折返し部と上記前面パネルとが重なり部分の間にて、上記第１の仕切りの前に配置された、陰画や陽画等のための第２の仕切りとなる容器。
【請求項２】
上記前面折返し部の１つは、上記開口部内に伸びる少なくとも１つのつまみを備え、
上記つまみは、フィルムケースに掛合するように設計されているとともに、該フィルムケースを取り外し可能に保持している、請求項１記載の容器。
【請求項３】
上記前面折返し部の両方に、フィルムケースを取り外し可能に挿入することができるように成形された開口部が備えられている、請求項１記載の容器。
【請求項４】
上記後部パネルと前面折返し部との間に配置され、該後部パネルおよび前面折返し部に対して実質的に垂直になるように、折りたたみ可能に接続された側部パネルと、
上記後部パネルとカバーパネルとの間に配置され、該後部パネルおよび上記カバーパネルに対して実質的に垂直になるように、折りたたみ可能に接続された上部パネルと、
上記後部パネルと前面パネルとの間に配置され、該後部パネルおよび前面パネルに対して実質的に垂直になるように、折りたたみ可能に接続された底部パネルとを備え、
上記側部パネルと上部パネルとは実質的に同じ幅を有し、
上記底部パネルは、上記側部パネルおよび上部パネルよりも大きい幅を有している、請求項１記載の容器。
【請求項５】
上記カバーパネルが閉じた状態にある場合に、上記前面折返し部、前面パネル、カバーパネルは、上記後部パネルに対して、通常平行になっている、請求項４記載の容器。
【請求項６】
上記側部パネルの下端部に折りたたみ可能に接続され、上記底部パネルを覆うように内向きに伸びている底部つまみを備えている、請求項４記載の容器。
【請求項７】
上記前面パネルは、第２の切れ目を備え、
上記カバーパネルが閉じた状態にある場合に、上記カバーパネルは、上記第２の切れ目に取り外し可能に固定されて掛合される第２のロックつまみを備える、請求項１記載の容器。
【請求項８】
上記側部パネルと上記前面折返し部との間に配置された折り曲げ線を有し、
上記折り曲げ線は、第１の切れ目を備え、
上記前面パネルは、該前面パネルの側部に、上記第１の切れ目に取り外し可能に固定されて掛合される第１のロックつまみを備え、
上記第１のロックつまみは、上記底部パネルと同等の幅を有するとともに、上記前面パネルと前面折返し部との間に、第２の仕切りとなる一定間隔が設けられている、請求項４記載の容器。
【請求項９】
上記前面パネルの上端部は、上記第２の仕切りにフィルムシートや陰画等を容易に収納するために、中央部でくぼんでいる、請求項１記載の容器。
【請求項１０】
透明で、柔軟性および弾力性を有するプラスチック材料を用いて、一枚構造で形成されている請求項１記載の容器。
【請求項１１】
フィルムケース、写真、陽画、陰画等の物品用の開閉可能な容器を形成するための平らな素材片であって、
後部パネルと、一組の前面折返し部と、前面パネルと、カバーパネルとを備え、
上記前面折返し部は、後部パネルの側部に折りたたみ可能に接続され、後部パネルに対して所定間隔を隔てて、後部パネルを覆って、横方向に内向きに折り曲げられるように設計されているとともに、上記前面折返し部のうちの１つは、取り外し可能にフィルムケースを挿入することができるように成形された開口部を有し、
上記前面パネルは、上記後部パネルの底部に折りたたみ可能に接続されるとともに、上記前面パネルと前面折返し部とが上記後部パネルを覆うように折り曲げられる場合には、上記前面折返し部を覆うように上方に折り曲げられるように設計され、
上記カバーパネルは、上記後部パネルの上部に折りたたみ可能に接続されるとともに、上記前面パネルが前面折返し部を覆うように上方に折り曲げられた場合に、上記前面パネルを覆って閉じた状態とするために、下方に折り曲げられるように設計されているとともに、
上記後部パネルと前面折返し部と前面パネルとは、上記後部パネルを覆うように折り曲げられた場合に、フィルムケース、写真等のための第１の仕切りとなるように設計され、
上記前面折返し部と上記前面パネルとは、該前面パネルと上記前面折返し部とが上記後部パネルを覆って重なるように折り曲げられる場合に、第１の仕切りの前に配置された、陽画や、陰画等のための第２の仕切りとなるように設計されている、素材片。
【請求項１２】
上記前面折返し部の１つは、該前面折返し部の１つの端部から上記開口部内に伸びる少なくとも１つのつまみを備え、
上記つまみは、フィルムケースに掛合するように設計されているとともに、該フィルムケースを取り外し可能に保持している、請求項１１記載の素材片。
【請求項１３】
上記前面折返し部の１つは、上記１つのつまみに対向する該前面折返し部の端部から上記開口部内に伸びている第２のつまみを備えている、請求項１２記載の素材片。
【請求項１４】
上記前面折返し部の両方に、フィルムケースを取り外し可能に挿入することができるように成形された開口部が備えられている、請求項１１記載の素材片。
【請求項１５】
上記後部パネルと上記前面折返し部との間に配置され、該後部パネルおよび前面折返し部に折りたたみ可能に接続される側部パネルと、
上記後部パネルと上記カバーパネルとの間に配置され、該後部パネルおよび上記カバーパネルに折りたたみ可能に接続される上部パネルと、
上記後部パネルと上記前面パネルとの間に配置され、該後部パネルおよび前面パネルに折りたたみ可能に接続されている底部パネルとを備え、
上記側部パネルと上部パネルとは実質的に同じ幅を有し、
上記底部パネルは、上記側部パネルおよび上部パネルよりも大きい幅を有している、請求項１１記載の素材片。
【請求項１６】
上記後部パネルと、上部パネルと、側部パネルと、底部パネルと、前面折返し部と、前面パネルと、カバーパネルとは、折り曲げ線で折りたたみ可能に接続されている、請求項１５記載の素材片。
【請求項１７】
上記側部パネルと、底部パネルと、上部パネルとは、それぞれ内向き、上方、下方に折り曲げられ、上記後部パネルに対して実質的に垂直になるように設計され、
上記前面折返し部は、上記側部パネルに対して実質的に垂直になるように、横方向に内向きに折り曲げられるように設計され、
上記前面パネルは、上記底部パネルに対して実質的に垂直になるように、上方に折り曲げられるように設計され、
上記カバーパネルは、上記上部パネルに対して実質的に垂直になるように、下方に折り曲げられるように設計されている、請求項１５記載の素材片。
【請求項１８】
上記後部パネルに対して実質的に垂直になるように折り曲げられる場合に、上記側部パネルの下端部に折りたたみ可能に接続され、上記底部パネルを覆うように内向きに伸びるように設計された底部つまみを備えている、請求項１７記載の素材片。
【請求項１９】
上記前面パネルは、第２の切れ目を備え、
上記前面パネルおよびカバーパネルが上記後部パネルを覆うように折り曲げられる場合に、上記カバーパネルは、上記第２の切れ目に取り外し可能に固定されて掛合されるように設計された第２のロックつまみを備える、請求項１７記載の素材片。
【請求項２０】
上記側部パネルと上記前面折返し部との間に配置された折り曲げ線を有し、
上記折り曲げ線は、第１の切れ目を備え、
上記前面パネルは、上記前面折返し部と前面パネルとが上記後部パネルを覆うように内向きに折り曲げられる場合に、該前面パネルの側部に、上記第１の切れ目に取り外し可能に固定されて掛合されるように設計された第１のロックつまみを備え、
上記第１のロックつまみは、上記底部パネルと同等の幅を有するとともに、上記前面パネルと前面折返し部とが上記後部パネルを覆うように折り曲げられる場合に、該前面パネルと前面折返し部との間に、第２の仕切りとなる一定間隔が設けられている、請求項１７記載の素材片。
【請求項２１】
上記前面パネルの上端部は、上記前面パネルが上記前面折返し部と後部パネルとを覆うように上方に折り曲げられた場合に、上記第２の仕切りにフィルムシートや陰画等を容易に収納するために、中央部でくぼんでいる、請求項１１記載の素材片。
【請求項２２】
透明で、柔軟性および弾力性を有するプラスチック材料を用いて、一枚構造で形成されている、請求項１１記載の素材片。
【発明の詳細な説明】
【背景技術】
【０００１】
本発明は、写真やフィルムケース（film cartriges）等の物品用の開閉可能な（reclosable）容器に関するもので、より詳細には、フィルムケースや写真、陽画（prints）や陰画（negatives）等の物品のための分類用の仕切りを備える容器に関する。
【０００２】
写真製品、特に消費者への配布用の現像された写真について言えば、従来の包装用容器は、曲げられたり、傷をつけられたり、破られたりといった損傷を受けやすい写真製品を十分に保護することができないフィルム状の紙封筒型の包装用容器である。このような封筒型包装は、通常、現像された写真や陰画をひとつの仕切り内に収容する。また、このような紙包装は、内容物が湿気にさらされて劣化することを防ぐことができない。さらに、紙は、長期間、上記紙包装内に保管された写真製品に損傷を与えることがある酸性成分を含んでいる。
【０００３】
フィルムケースや陽画、陰画は、多くの場合、写真を見直したり、写真をアルバム等に保管した後、置き忘れられる。上記フィルムケースや陽画や陰画は、写真とは別に保管されるため、写真の焼き増しを望む場合、これらの物品を探し出したり、識別したりすることが困難となる。
【０００４】
したがって、フィルムケースや写真、陽画や陰画のような物品を安全な条件で、分類用の仕切りに分配して保管するための、単純で強度に優れ、かつ再使用可能な包装が必要とされている。本発明の新しくかつ改善された容器は、この要求を満たすものである。
【０００５】
（発明の要約）
本発明の再密封可能な容器は、何らかの適切な材料、好ましくは透明なプラスチック製の柔軟で弾力性のある材料で形成され、通常、標準的な現像写真のサイズより大きいサイズの後部パネル（panel）を備える。上部パネルと２つの側部パネルと底部パネルとは、折りたたみ可能に後部パネルに接続されている。これらのパネルは全て、フィルムケース、現像された写真一式および／または陰画一式、または、写真および／または陰画用のフィルムシート一式等を収納するのに十分な大きさを有している。前面パネルは、折りたたみ可能に底部パネルの外端部に接続され、カバー（cover）パネルは、折りたたみ可能に上部パネルの外端部に接続されている。各側部パネルは、側部パネルの外端部に折りたたみ可能に接続される前面折返し部（front flaps）を有している。また、底部つまみ（tab）は、各側部パネルの下端部に折りたたみ可能に接続されて、側部パネルとおおよそ同じ幅を有している。
【０００６】
組み立てられた容器では、上部パネルと、側部パネルと、底部パネルとは、後部パネルに対して通常は垂直に、前方に向けて伸びている。底部つまみは、実質的に底部パネルに対して平行に、底部パネルを覆って内向きに伸びている。前面折返し部は、後部パネルに対して所定間隔を隔てて（in spaced）、通常、後部パネルに対して平行に、横方向（laterally）に内向きに伸びている。前面パネルは、後部パネルに対して所定間隔を隔てて、通常、後部パネルに平行に、前面折返し部を覆うように上方に伸びている。そして、カバーパネルは、後部パネルに対して所定間隔を隔てて、通常、後部パネルに平行に、前面パネルを覆うように下方に伸びている。
【０００７】
組み立てられたパネルは、第１の仕切り、すなわち写真やフィルムケース等のための後部の仕切りとなる。組み立てられた前面折返し部と前面パネルとの間は、狭い第２の仕切り、すなわち陰画や陽画等のための前面の仕切りとなる。組み立てた状態で容器を維持するために、前面パネルは、前面折返し部と側部パネルとの間の折り曲げ線にある切れ目（slit）内に、取り外し可能に挿入される（received）ロック（locking）つまみを備える。
【０００８】
上部パネルと側部パネルとは、実質的には同じ幅を有している。底部パネルは、上部パネルや側部パネルよりも幅が広く、前面パネル上のロックつまみは、底部パネルと実質的に同じ幅を有している。したがって、組み立てられた容器では、前面パネルは、第２の仕切り、すなわち陰画や陽画等のための前面の仕切りとなるように、裏側にある前面折返し部から所定間隔を隔てて配置されている。
【０００９】
前面折返し部の一方あるいは両方には、フィルムケースを挿入可能となるように十分に大きく貫通した開口部が設けられている。前面折返し部の、ケース開口部となる上部および下部は、実質的に垂直に一列に並べられ、内向きに伸びたつまみを備えている。該つまみは、フィルムケースを前面折返し部の開口部に保持するために、フィルムケースの末端にある開口部にスナップ式で嵌め込まれるように設計されている。各前面折返し部は、隣接する側部パネルに接する折り曲げ線で回動させることができるので、写真や陰画、陽画といった容器に保管される他の物品を妨げることなく、各前面折返し部は、組み立てられた容器内のフィルムケースを収容する位置に容易に移動することができる。
【００１０】
それゆえ、本発明の容器は、フィルムケース、フィルムシート、写真および／または陰画の分類用の安全な仕切りを備え、構造が簡単で、組み立てが容易であるとともに、開閉が容易である。
【００１１】
（図面の簡単な説明）
図１は、本発明にかかる容器用の素材片（blank）を示す平面図である。図２は、本発明にかかる組み立てられた形の容器の、カバーパネルを閉じた状態を示す正面図である。図３は、本発明にかかる組み立てられた形の容器の、写真、フィルムケース、陰画、陽画が入った、カバーパネルが開かれた状態を示す透視図である。
【００１２】
（好ましい実施形態の説明）
図１に、本発明の開閉可能な容器用の素材片１０を示す。素材片１０は、一枚構造（unitary construction）であり、適度に柔軟性および弾力性を有する、透明なプラスチック素材で形成されていることが好ましい。本発明の範囲内で、素材片１０は、別個の構成部材で形成されていてもよく、また水分の遮断壁となる適当な材料からなっていてもよく、写真、陰画、陽画、フィルムケース等に悪影響を与えないものであればよい。
【００１３】
素材片１０は、標準的な現像写真のサイズや、該素材片で形成される容器内に配置される他の品物のサイズよりも大きいサイズの後部パネル１２を備えている。上部パネル１４は、第１の折り曲げ線１６で後部パネル１２に接続されている。側部パネル１８は、第２の折り曲げ線２０で後部パネル１２に接続され、上部パネル１４および側部パネル１８より幅広い底部パネル２２は、第３の折り曲げ線２４で後部パネル１２の底部に接続されている。一組の底部つまみ２６は、第４の折り曲げ線２８で側部パネル１８の底部に接続されている。
【００１４】
一組の前面折返し部３０は、第５の折り曲げ線３２で側部パネル１８に接続されている。前面パネル３４は、第６の折り曲げ線３６で底部パネル２２に接続されており、カバーパネル３８は、第７の折り曲げ線４０で上部パネル１４に接続されている。
【００１５】
折り曲げ線３２は、該折り曲げ線３２上に第１の切れ目４６を有し、該第１の切れ目４６は、前面パネル３４の第１のロックつまみ４８を横方向に外向きに広げることによって、取り外し可能に掛合するように設計されている（adapted）。第１のロックつまみ４８は、好ましくは外方向に向かって先細になり、第１の切れ目４６内にスナップ式で嵌め込まれる（snap-fitted）ように、５０の位置でくぼんでいる。好ましくは、第１のロックつまみ４８は、後述する目的のために、底部パネル２２と実質的に同じ、あるいは、類似した幅を有しているとよい。
【００１６】
前面折返し部３０の少なくともひとつは、図３に示すように、フィルムケースＣが挿入されるように成形された、実質的に長方形型の開口部３１を備えている。前面折返し部３０の、開口部３１となる上部および下部は、実質的に垂直に一列に並んで内部方向に伸びるつまみ３３を備え、該つまみ３３は、フィルムケースの端部にある開口部にスナップ式で嵌め込まれるように設計され、開口部３１内にフィルムケースを取り外し可能に保持する。
【００１７】
前面パネル３４は、その中央部に第２の切れ目５２を備えている。後述するように、カバーパネル３８を閉じる位置まで移動させる場合に、上記第２の切れ目５２は、カバーパネル３８の第２のロックつまみ５４に掛合するように設計されている。
【００１８】
図２および図３は、フィルムケースや写真、陰画、フィルムシート等の物品用の容器を形成するための、組み立てた状態の素材片１０を示している。容器の組み立てに際して、側部パネル１８は、まず、後部パネル１２に対して実質的に垂直になるように、内向きに折り曲げられるとともに、前面折返し部は、側部パネルに対して実質的に垂直になるように内向きに折り曲げられて、後部パネル１２に対して実質的に平行になる。側部パネル１８の底部つまみ２６は、側部パネルに対して実質的に垂直になるように内向きに折り曲げられる。
【００１９】
その後、底部パネル２２は、後部パネル１２に対して実質的に垂直になるように内向きに折り曲げられ、前面パネル３４は、底部パネル２２に対して実質的に垂直になるように上方に折り曲げられて、通常、後部パネル１２に対して平行となる。前面パネル３４を前面折返し部３０に接続させるために、第１のロックつまみ４８は、内向きに折り曲げられて、折り曲げ線３２にある第１の切れ目４６内に差し込まれ、凹部５０で取り外し可能に固定されて掛合されるようになっている。
【００２０】
後部パネル１２と上部パネル１４と側部パネル１８と底部パネル２２と前面折返し部３０と前面パネル３４とは、フィルムケースＣや写真Ｆ等の物品を収納するための第１の仕切りとなる。前面折返し部３０と前面パネル３４とは、図３に示すように、前面折返し部３０と前面パネル３４との重なり部分にて、陽画や陰画等の比較的平らな物品を収納するための、第１の仕切りの前に配置された狭い第２の仕切りとなる。底部パネル２２および第１のロックつまみ４８は、上部パネル１４、側部パネル１８より大きい幅を有しており、前面パネル３４は、裏側にある前面折返し部３０から離れて、第２の仕切りとなる。
【００２１】
容器１０を閉じるためには、上部パネル１４は、後部パネル１２に対して実質的に垂直になるように下方に折り曲げられる。カバーパネル３８は、上部パネル１４に対して実質的に垂直になるように下方に折り曲げられ、後部パネル１２に対して実質的に平行に伸びる。図２に示すように、前面パネル３４を覆ってカバーパネルを閉じた位置まで移動させると、カバーパネル３８の第２のロックつまみ５４は、前面パネル３４の第２の切れ目５２に、取り外し可能に固定されて掛合されるように差し込まれる。第２の切れ目５２から第２のロックつまみ５４を取り外すことにより、カバーパネル３８は、容器の中身の取り出しが可能な、図３に示す、開いた位置まで再び移動することができる。
【００２２】
第２の仕切り内の陽画や陰画Ｎ等を見えるようにして、容易に取り出すことができるようにするために、前面パネル３４は中央部５６でくぼんでいる。
【００２３】
各前面折返し部３０は、隣接する側部パネル１８との折り曲げ線３２で回動可能であるため、容器の第１の仕切りまたは第２の仕切りに保管される他の物品を妨げることなく、組み立てられた容器１０内の開口部３１にフィルムケースＣを収納する位置にまで、容易に移動することができる。
【００２４】
先に述べた説明から、本発明の開閉可能な容器は、構造が単純で容易に生産できる素材片１０から、容易に形成されることは明らかである。上記容器は、該容器に保管される写真、陰画、陽画やフィルムケースのための分類用の仕切りを有し、容器に保管された物品を一緒に収納して（enclose）保護するのに役立つ。プラスチックあるいは容器の他の適当な材料は、容器に保管されている写真用材料を水分から保護し、写真材料の劣化をさらに防ぐために、酸性成分を含んでいない。
【００２５】
本発明の容器は、現像した写真、フィルムケースや陽画索引（index print）を購入者に返却する、コダック社のＡＤＶＡＮＴＩＸ（登録商標）システムのような進歩した写真撮影システムの部品の保管に特に有用である。
【００２６】
本発明は、現段階で考えられる最も実用的で好ましい実施形態に関連付けて述べられており、本発明は、開示された実施形態に限定されるものではなく、本発明の精神と添付の請求項の範囲内で、種々の変更や同等の組み合わせが可能である。
【図面の簡単な説明】
【００２７】
【図１】本発明にかかる容器用の素材片（blank）を示す平面図である。
【図２】本発明にかかる組み立てられた形態の容器の、カバーパネルを閉じた状態を示す正面図である。
【図３】本発明にかかる組み立てられた形態の容器の、写真、フィルムケース、陰画、陽画が入った、カバーパネルが開かれた状態を示す透視図である。
【国際公開パンフレット】
2004522655.tif 000003
2004522655.tif 000004
2004522655.tif 000005
2004522655.tif 000006
2004522655.tif 000007
2004522655.tif 000008
2004522655.tif 000009
2004522655.tif 000010
2004522655.tif 000011
2004522655.tif 000012
2004522655.tif 000013
2004522655.tif 000014
2004522655.tif 000015
2004522655.tif 000016
2004522655.tif 000017
2004522655.tif 000018
【国際調査報告】
2004522655.tif 000019
2004522655.tif 000020